(57)【要約】【課題】プローブ用光学ユニットの第１光学部材を生体組織に接触し易くさせ、また製品信頼性、作業性を向上させる。【解決手段】共焦点レーザプローブの先端部に取り付けられる共焦点用対物レンズユニット２１は、被検体の被観察部位に対面する第１レンズ２６、第２レンズ２７、レンズ固定枠２８、レンズ鏡筒２９を備える。第１レンズ２６は、対物側のレンズ面３２ａの外周側縁にテーパー面３２ｄが形成されている。レンズ固定枠２８に第１レンズ２６を固着させると、レンズ鏡筒２９の先端面２９ｂからテーパー面３２ｄの少なくとも一部が突出する。レンズ固定枠２８に第１レンズ２６を固着させるときは、先端面２９ｂから突出するテーパー面３２ｄに接着剤を塗布する。【選択図】図３
2009233244.tif 000002
【特許請求の範囲】
【請求項１】
内視鏡の鉗子チャンネルに挿入して使用する共焦点レーザプローブの先端部に取り付けられ、被検体の被観察部位に対面する第１光学部材を含む複数の光学部材と、前記複数の光学部材を保持する鏡筒とを備えるプローブ用光学ユニットにおいて、
前記第１光学部材の光学的に機能していない非光学的機能面の少なくとも一部が、前記鏡筒の先端面よりも対物側に突出していることを特徴とするプローブ用光学ユニット。
【請求項２】
前記非光学的機能面の前記鏡筒の先端面からの突出量は、１０μｍ以上５００μｍ以下であることを特徴とする請求項１記載のプローブ用光学ユニット。
【請求項３】
前記非光学的機能面の前記鏡筒の先端面からの突出量は、２０μｍ以上２５０μｍ以下であることを特徴とする請求項２記載のプローブ用光学ユニット。
【請求項４】
前記非光学的機能面は、前記第１光学部材の外周側縁であることを特徴とする請求項１ないし３いずれか記載のプローブ用光学ユニット。
【請求項５】
前記非光学的機能面の前記鏡筒の先端面から突出した部分に、前記第１光学部材と前記鏡筒の先端面とを接着する接着剤が塗布されていることを特徴とする請求項１ないし４いずれか記載のプローブ用光学ユニット。
【請求項６】
前記接着剤は、前記非光学的機能面の前記鏡筒の先端面から突出した部分への光の入射を防ぐ遮光膜を兼ねることを特徴とする請求項５記載のプローブ用光学ユニット。
【請求項７】
前記第１光学部材は、対物側の面が平面、もしくは凸面であることを特徴とする請求項１ないし６いずれか記載のプローブ用光学ユニット。
【請求項８】
前記第１光学部材は、対物側と反対側の面が曲面のレンズであることを特徴とする請求項７記載のプローブ用光学ユニット。
【請求項９】
前記第１光学部材は、半球面レンズ部と、対物側に配され、前記半球面レンズ部よりも外径が大きい平板状レンズ部とからなることを特徴とする請求項８記載のプローブ用光学ユニット。
【請求項１０】
前記第１光学部材は、対物側の面およびその反対側の面が平面のカバーガラスであることを特徴とする請求項７記載のプローブ用光学ユニット。
【請求項１１】
前記プローブは、共焦点レーザプローブであることを特徴とする請求項１ないし１０いずれか記載のプローブ用レンズユニット。
【請求項１２】
内視鏡の鉗子チャンネルに挿入して使用する共焦点レーザプローブの先端部に取り付けられ、被検体の被観察部位に対面する第１光学部材を含む複数の光学部材と、前記複数の光学部材を保持する鏡筒とを備えるプローブ用光学ユニットの組み立て方法であって、
前記第１光学部材の光学的に機能していない非光学的機能面の少なくとも一部を、前記鏡筒の先端面よりも対物側に突出させ、
前記非光学的機能面の前記鏡筒の先端面から突出した部分に、前記非光学的機能面を前記鏡筒の先端面に接着する接着剤を塗布することを特徴とするプローブ用光学ユニットの組み立て方法。
【発明の詳細な説明】
【技術分野】
【０００１】
本発明は、内視鏡の鉗子チャンネルに挿入して使用するプローブの先端部に取り付けられるプローブ用光学ユニット及びその組み立て方法に関するものである。
【背景技術】
【０００２】
従来、シングルモード光ファイバおよび光ファイバの出射端に配された光学ユニットを通して、体腔内の生体組織（被検体の被観察部位）にレーザ光を投射し、レーザ光の生体組織からの反射光のうち、光学ユニットの物体側焦点面における反射光のみを抽出して、生体組織内の観察画像を得る共焦点レーザプローブが知られている（特許文献１参照）。レーザ光を生体組織に走査することで、例えば、生体粘膜の表面から約１００μｍの深さの２次元画像を得ることができる。
【０００３】
共焦点レーザプローブは、電子内視鏡の鉗子チャンネルに挿入して使用される（特許文献２参照）。このような共焦点レーザプローブは、患者への負担を軽減するために、外径を細くする必要がある。また、光学ユニットは、生体粘膜の表面から深さ方向に進達した部位を焦点面とするため、開口数ＮＡを高くする必要がある。特に、レーザ光の波長が長波長である場合、高解像度の観察画像を得るためには、開口数ＮＡを高くするしかない。
【０００４】
このように、細径且つ高い開口数ＮＡを必要とすることから、光学ユニットを構成するレンズ等の光学部材は微小化が進み、複数の微小なレンズ同士を精度良く位置決めすることが非常に難しいものとなっている。従来、レンズ同士の間隔を精度良く規定するため、専用治具を用いたレンズの組み立て方法が提案されている（特許文献３参照）。
【特許文献１】特開２００４−２４０３４６号公報
【特許文献２】特開２０００−１２１９６１号公報
【特許文献３】特開２００７−２９８５３３号公報
【発明の開示】
【発明が解決しようとする課題】
【０００５】
光学ユニットを構成する光学部材の微小化に伴い、生体組織に対面する第１光学部材と焦点面との観察距離は、例えば５０μｍと極めて短くなっているため、第１光学部材を生体組織に接触させる必要性が生じる。第１光学部材と生体組織との接触が不十分であると、生体組織内の観察画像をうまく取得することができない。
【０００６】
また、鏡筒の先端面に露呈した第１光学部材の部分には、接着剤が塗布されて補強されるが、第１光学部材の表面が鏡筒の先端面と同面であると、接着剤の塗布がし難い、補強が十分に行われない、接着剤で第１光学部材の表面が汚れるため、接着剤を拭き取る工程が必要になる等、問題がある。
【０００７】
本発明は、上記課題を鑑みてなされたものであり、第１光学部材が生体組織に接触し易くし、生体組織内の観察画像を安定して取得することが可能なプローブ用光学ユニットを提供することを目的とする。
【０００８】
また、本発明は、製品信頼性、作業性を向上させることができるプローブ用光学ユニットの組み立て方法を提供することを目的とする。
【課題を解決するための手段】
【０００９】
上記目的を達成するために、本発明のプローブ用光学ユニットは、内視鏡の鉗子チャンネルに挿入して使用する共焦点レーザプローブの先端部に取り付けられ、被検体の被観察部位に対面する第１光学部材を含む複数の光学部材と、前記複数の光学部材を保持する鏡筒とを備えるプローブ用光学ユニットにおいて、前記第１光学部材の光学的に機能していない非光学的機能面の少なくとも一部が、前記鏡筒の先端面よりも対物側に突出していることを特徴とする。
【００１０】
なお、前記非光学的機能面の前記鏡筒の先端面からの突出量は、１０μｍ以上５００μｍ以下であることが好ましい。また、前記非光学的機能面の前記鏡筒の先端面からの突出量は、２０μｍ以上２５０μｍ以下であることがさらに好ましい。
【００１１】
前記非光学的機能面は、前記第１光学部材の外周側縁であることが好ましい。また、前記非光学的機能面の前記鏡筒の先端面から突出した部分に、前記第１光学部材と前記鏡筒の先端面とを接着する接着剤が塗布されていることが好ましい。さらにまた、前記接着剤は、前記非光学的機能面の前記鏡筒の先端面から突出した部分への光の入射を防ぐ遮光膜を兼ねることが好ましい。前記第１光学部材は、対物側の面が平面、もしくは凸面であることが好ましい。また、前記第１光学部材は、対物側と反対側の面が曲面のレンズであることが好ましい。なお、前記第１光学部材は、半球面レンズ部と、対物側に配され、前記半球面レンズ部よりも外径が大きい平板状レンズ部とからなることが好ましい。また、前記第１光学部材は、対物側の面およびその反対側の面が平面のカバーガラスであることが好ましい。
【００１２】
前記プローブは、共焦点レーザプローブであることが好ましい。
【００１３】
本発明のプローブ用光学ユニットの組み立て方法は、内視鏡の鉗子チャンネルに挿入して使用する共焦点レーザプローブの先端部に取り付けられ、被検体の被観察部位に対面する第１光学部材を含む複数の光学部材と、前記複数の光学部材を保持する鏡筒とを備えるプローブ用光学ユニットの組み立て方法であって、前記第１光学部材の光学的に機能していない非光学的機能面の少なくとも一部を、前記鏡筒の先端面よりも対物側に突出させ、前記非光学的機能面の前記鏡筒の先端面から突出した部分に、前記非光学的機能面を前記鏡筒の先端面に接着する接着剤を塗布することを特徴とする。
【発明の効果】
【００１４】
本発明のプローブ用光学ユニットによれば、被観察部位に対面する第１光学部材の光学的に機能していない非光学的機能面の少なくとも一部を、鏡筒の先端面よりも対物側に突出させるので、第１光学部材が生体組織に接触し易くなり、生体組織内の観察画像を安定して取得することが可能となる。
【００１５】
また、本発明のプローブ用光学ユニットの組み立て方法によれば、第１光学部材の非光学的機能面の鏡筒の先端面から突出した部分に、非光学的機能面を鏡筒の先端面に接着する接着剤を塗布するので、接着剤の塗布がし易くなり、十分な補強を行うことができる。また、接着剤で第１光学部材の表面が汚れず、接着剤を拭き取る工程が不要になる。したがって、製品信頼性、作業性を向上させることができる。
【発明を実施するための最良の形態】
【００１６】
図１において、内視鏡システム２は、電子内視鏡１０と、この電子内視鏡１０の鉗子チャンネル１９に挿入して使用する共焦点レーザプローブ１１と、電子内視鏡１０と接続する通常観察用プロセッサ装置１２と、共焦点レーザプローブ１１と接続する共焦点観察用プロセッサ装置１３とから構成される。電子内視鏡１０は、体腔内に挿入される可撓性の挿入部１４と、挿入部１４の基端部分に連設された操作部１５と、通常観察用プロセッサ装置１２に接続されるコネクタ１６と、操作部１５とコネクタ１６とを繋ぐユニバーサルコード１７とを備えている。
【００１７】
挿入部１４の先端には、体腔内撮影用のＣＣＤ（図示せず）などが内蔵された先端部１４ａが連設されている。先端部１４ａの後方には、複数の湾曲駒を連結した湾曲部１４ｂが設けられている。湾曲部１４ｂは、操作部１５に設けられたアングルノブ１８が操作されて、挿入部１４内に挿設されたワイヤが押し引きされることにより、上下左右方向に湾曲動作する。これにより、先端部１４ａが体腔内の所望の方向に向けられる。
【００１８】
挿入部１４の内部には、鉗子チャンネル１９が配されている。この鉗子チャンネル１９は、先端部１４ａに設けられた鉗子出口１９ａから、操作部１５に設けられた鉗子入口１９ｂまで連続している。
【００１９】
通常観察用プロセッサ装置１２には、周知の光源、及び、信号処理回路などが実装されている。コネクタ１６が通常観察用プロセッサ装置１２に接続されているときに光源が点灯されると、その光は電子内視鏡１０のコネクタ１６から先端部１４ａまで配管されたライトガイド（図示せず）に入射する。ライトガイドに入射した照明光はその内部を伝送されて、先端部１４ａ前面に設けられた照明窓（図示せず）から被検体内へ照明される。この照明光は被検体内で反射されて、先端部１４ａに内蔵されるＣＣＤで撮像される。このＣＣＤから出力された撮像信号は、通常観察用プロセッサ装置１２に向けて伝送される。通常観察用プロセッサ装置１２は、撮像信号を画像データに変換して、通常観察用モニタ２０に出力する。これにより、体腔内の動画や静止画が通常観察用モニタ２０上に表示される。
【００２０】
共焦点レーザプローブ１１は、先端部に設けられ、被観察部位の像を得るための共焦点用の対物光学系を備えている共焦点用対物レンズユニット２１と、末端部に設けられ、共焦点観察用プロセッサ装置１３と接続するコネクタ２２と、共焦点用対物レンズユニット２１とコネクタ２２とを繋ぐケーブル２３とからなる。ケーブル２３の内部には、光を伝送する複数のシングルモード光ファイバを束ねて形成された光ファイバ束２４（図２参照）が設けられている。この共焦点レーザプローブ１１は、上述したように電子内視鏡の鉗子入口１９ｂから挿入され、鉗子チャンネル１９を通り、先端部１４ａに設けられた鉗子出口１９ａから共焦点用対物レンズユニット２１の先端部が突出して、被検体内の観察画像を得ることができる。観察を行う際には、共焦点用対物レンズユニット２１の先端面（第１レンズ２６のレンズ面３２ａ、レンズ固定枠２８の先端面２８ｂ及びレンズ鏡筒２９の先端面２９ｂ；図３参照）を生体組織表面に接触させる。
【００２１】
共焦点観察用プロセッサ装置１３には、周知のレーザ光源、及び処理回路などが実装されており、共焦点レーザプローブ１１のコネクタ２２が共焦点観察用プロセッサ装置１３に接続されているときに、レーザ光源が点灯すると、そのレーザ光が、光ファイバ束２４の内部を伝送されて、共焦点用対物レンズユニット２１へ出射する。シングルモード光ファイバから出射したレーザ光は、共焦点用対物レンズユニット２１に組み込まれた共焦点用対物光学系３０（図２参照）に入射する。そして、共焦点用対物光学系３０により被観察部位で焦点を結ぶ。次いで、被観察部位から反射した反射光が、共焦点用対物光学系３０を介してシングルモード光ファイバ内部に戻る。
【００２２】
シングルモード光ファイバの対物側先端部は、極めて小さい開口（コア）を有しており、点光源且つ絞りとして機能する。従ってシングルモード光ファイバ内部には、被観察部位からの反射光のうち、シングルモード光ファイバの対物側先端部と共役な位置（被観察部位で出射光が焦点を結んだ位置）から反射した光のみが入射する。この入射光は、シングルモード光ファイバにより伝送されて共焦点観察用プロセッサ装置１３に入力する。共焦点観察用プロセッサ装置１３は、被観察部位にレーザ光を走査することにより得られた入射光の点像を受け取って電気信号に変換して周知の信号処理を施し、共焦点観察用モニタ２５に出力する。これにより、共焦点観察用モニタ２５に高倍率・高解像度の共焦点走査画像（観察画像）が表示される。
【００２３】
図２及び図３において、共焦点用対物レンズユニット２１は、被検体の被観察部位に対面する第１レンズ２６と、第１レンズ２６の対物側と反対側の面（レンズ面３１ａ）に対向する第２レンズ２７と、第１レンズ２６及び第２レンズ２７が固定されるレンズ固定枠２８と、このレンズ固定枠２８を保持するレンズ鏡筒２９とを備える。なお、共焦点用対物レンズユニット２１は、第１レンズ２６及び第２レンズ２７を含む複数のレンズ（図示は省略）からなる共焦点用対物光学系３０を備えている。なお、第１レンズ２６及び第２レンズ２７を含む共焦点用対物光学系３０の複数のレンズは、全てレンズ鏡筒２９に保持される。
【００２４】
図４において、第１レンズ２６は、半球面レンズ部３１と、対物側に配され、半球面レンズ部３１よりも外径が大きい平板状レンズ部３２とを接合してなる貼り合わせレンズである。この第１レンズ２６は、対物側に平板状レンズ部３２のレンズ面３２ａが、対物側とは反対側に半球面レンズ部３１のレンズ面３１ａが対向して貼り合わされている。平板状レンズ部３２の外周は、半球面レンズ部３１の外径から突出する鍔部３２ｂを構成する。鍔部３２ｂは、半球面レンズ部３１の外周全てに対して設けられている。なお、これに限らず、半球面レンズ部３１の外周のうち少なくとも一部に鍔部が設けられていればよい。鍔部３２ｂの外周面３２ｃは、その外径が、レンズ固定枠２８の内周面２８ａより少し小さく形成されている。
【００２５】
半球面レンズ部３１の外径は、その殆ど全てが光学的に機能する有効径となっている。平板状レンズ部３２の光学的に機能する部分は、図の点線で示すように、半球面レンズ部３１との接合面からレンズ面３２ａに掛けて、略すり鉢状となった部分である。この平板状レンズ部３２の光学的に機能する部分から外れた光学的に機能しない部分が、鍔部３２ｂを構成している。
【００２６】
鍔部３２ｂには、外周面３２ｃから対物側のレンズ面３２ａに掛けての外周側縁にテーパー面３２ｄが形成されている。このテーパー面３２ｄは、第１レンズ２６の中で光学的に機能していない非光学的機能面であり、レンズ固定枠２８との位置決めを行う位置決め面として使用される。
【００２７】
図３において、レンズ固定枠２８は、略円筒形状で、レンズ固定枠２８の内周面２８ａには、対物側の先端面２８ｂに向かって徐々に内径が小さくなるテーパー面２８ｃが形成されている。このテーパー面２８ｃの最小径は、鍔部３２ｂのテーパー面３２ｄの最小径より寸法が大きくなっている。よって、レンズ固定枠２８の内周面２８ａに鍔部３２ｂの外周面３２ｃを嵌め込み、レンズ固定枠２８のテーパー面２８ｃと、鍔部３２ｂのテーパー面３２ｄとを密接させると、第１レンズ２６のテーパー面３２ｄの一部と、対物側のレンズ面３２ａとが、レンズ固定枠２８の先端面２８ｂ、ひいては先端面２８ｂと同面となるレンズ鏡筒２９の先端面２９ｂから突出量ｄだけ突出して、レンズ固定枠２８に対する第１レンズ２６の位置決めがなされる。なお、第１レンズ２６をレンズ固定枠２８に位置決めする位置決め面としては、このようなテーパー面３２ｄに限らず、対物側のレンズ面３２ａと平行且つ段差のある面を位置決め面として鍔部３２ｂに形成してもよい。
【００２８】
また、レンズ固定枠２８には、対物側と反対側の外周面端部に、レンズ面３２ａと平行な段差がつけられた階段状に突出する凸部２８ｄが形成されている。凸部２８ｄは、レンズ鏡筒２９の先端部に形成された係止部２９ａに係止される。レンズ固定枠２８は、係止部２９ａによって係止されたときに、その先端面２８ｂが、レンズ鏡筒２９の先端面２９ｂと同面となるように形成されている。なお、凸部２８ｄは、外周面から階段状に突出する形状に限らず、対物側の面が傾斜するテーパー面を有する形状でもよい。
【００２９】
平板状レンズ部３２のレンズ面３２ａと反対側の面の、鍔部３２ｂと対向する位置には、レンズ面３１ａと、第２レンズ２７の対物側のレンズ面２７ａとの間隔を、所定間隔ｈに規制する間隔環３３が取り付けられている。間隔環３３は、鍔部３２ｂと対向する位置で第１レンズ２６と接し、レンズ面３２ａと平行な平面３３ａと、レンズ面２７ａの縁と接する曲面３３ｂとを有する。間隔環３３は、平面３３ａで第１レンズ２６に、曲面３３ｂで第２レンズ２７に当接している。第１レンズ２６に鍔部３２ｂを設けることによって間隔環３３と当接する面積を充分に取ることができるため、第１レンズ２６及び第２レンズ２７が互いに精度良く位置決めされる。
【００３０】
共焦点用対物レンズユニット２１の組み立て方法を図５〜図８に示す。先ず、図５に示す工程に移る前に、生体組織からの微弱な反射光を効率よく抽出するために、第１レンズ２６に反射防止膜をコーティングする。このコーティング処理では、鍔部３２ｂが掴み代として利用される。
【００３１】
次に、レンズ固定枠２８に第１レンズ２６、間隔環３３、第２レンズ２７を固着して保持させる工程を図５に沿って説明する。はじめに、冶具３４の第１受面３４ａ上に第１レンズ２６の対物側とは反対側のレンズ面３１ａを、第１受面３４ａの周囲に形成された第２受面３４ｂに鍔部３２ｂを密接させる（図５（ａ）、図５（ｂ）参照）。
【００３２】
次に、冶具３４に支持された第１レンズ２６にレンズ固定枠２８を密接させる（図５（ｂ）、図６（ｃ）参照）。このとき、レンズ固定枠２８の内周面２８ａに第１レンズ２６の外周面３２ｃを嵌め込むとともに、レンズ固定枠２８のテーパー面２８ｃに第１レンズ２６のテーパー面３２ｄを密接させて、レンズ固定枠２８に対する第１レンズ２６の位置決めを行う。このとき、上述したように第１レンズ２６のテーパー面３２ｄの一部と、対物側のレンズ面３２ａとが、レンズ固定枠２８の先端面２８ｂから突出した状態となる。
この状態で、第１レンズ２６をレンズ固定枠２８に保持させる。
【００３３】
第１レンズ２６をレンズ固定枠２８に保持させるとき、ここでは、レンズ固定枠２８の内周面２８ａと鍔部３２ｂの外周面３２ｃとが接着されるが、さらに第１レンズ２６とレンズ固定枠２８とを一体化させるために、これら以外の部分にも接着剤を塗布する。図７には、レンズ鏡筒２９の先端面２９ｂ、及びこの先端面２９ｂから突出した第１レンズ２６のテーパー面３２ｄの裾野部分に接着剤３５を塗布した状態を示す。テーパー面３２ｄが糊代の役目を果たすので、レンズ面３２ａには接着剤３５が付着しない。このようにして第１レンズ２６とレンズ固定枠２８とを接着する。なお、この接着のために、先端面２９ｂから突出するテーパー面３２ｄに塗布した接着剤３５は、カーボンブラック等の遮光性塗料を含有し、テーパー面３２ｄから第１レンズ２６の内部への光の入射を防ぐ遮光膜としての役目を兼ねている。
【００３４】
なお、このようにして第１レンズ２６がレンズ固定枠２８に保持されたとき、第１レンズ２６のテーパー面３２ｄが、レンズ鏡筒２９の先端面２９ｂから突出する突出量ｄ（図３参照）は、１０μｍ以上５００μｍ以下とし、より好ましくは、２０μｍ以上２５０μｍ以下とする。
【００３５】
突出量ｄを１０μｍ以上とするのは、１０μｍ以下であると、接着剤３５の糊代が稼げず、接着剤３５がレンズ面３２ａに乗り上げてしまうためである。突出量ｄを５００μｍ以下とするのは、５００μｍ以上であると、生体組織表面の粘液の厚みが約５００μｍであるため、レンズ面３２ａを生体組織表面に押し当てたときに、レンズ鏡筒２９の先端面２９ｂと生体組織表面との間に隙間ができてしまい、良好な観察画像を得られなくなるおそれがあるからである。突出量ｄを２０μｍ以上とするのは、接着剤３５を塗布する際の作業性を考慮して、十分な糊代を稼ぐためであり、突出量ｄを２５０μｍ以下とするのは、レンズ鏡筒２９の先端面２９ｂと生体組織表面との間に隙間をつくることなく、確実に良好な観察画像を得るためである。
【００３６】
図６に戻って、第１レンズ２６をレンズ固定枠２８に接着固定した後、冶具３４を、第１レンズ２６およびこの第１レンズ２６を保持したレンズ固定枠２８から取り外す。次に第１レンズ２６の鍔部３２ｂと対向する位置に間隔環３３の平面３３ａを密接させるとともに、間隔環３３の曲面３３ｂを第２レンズ２７の対物側のレンズ面２７ａの縁に密接させた状態とする（図６（ｄ）参照）。
【００３７】
これにより、第１レンズ２６と第２レンズ２７との間隔を所定間隔ｈ（図３参照）に定めることができる。そして、上記間隔を所定間隔ｈに定めた状態で第２レンズ２７をレンズ固定枠２８に保持させる。ここでは、第２レンズ２７をレンズ固定枠２８に接着する。これにより、第１レンズ２６と、第２レンズ２７と、間隔環３３と、レンズ固定枠２８とが一体化される。
【００３８】
続いて、一体化された第１レンズ２６、第２レンズ２７、間隔環３３およびレンズ固定枠２８を、レンズ鏡筒２９の先端に固定する工程を、図８を参照して説明する。先ず、レンズ鏡筒２９の対物側と反対側からレンズ固定枠２８を挿入し（図８（ａ）参照）、レンズ固定枠２８の凸部２８ｄを、レンズ鏡筒２９の先端部に形成された係止部２９ａで係止する。そして、この凸部２８ｄが係止部２９ａに係止された状態で両者を互いに接着固定する（図８（ｂ）参照）。このようにして、レンズ固定枠２８がレンズ鏡筒２９の先端に固定されるとともに、先端面２９ｂから第１レンズ２６の非光学的機能面であるテーパー面３２ｄの一部が対物側へ突出した状態で、第１レンズ２６がレンズ鏡筒２９に組み込まれる。なお、このレンズ固定枠２８がレンズ鏡筒２９に組み込まれたとき、レンズ鏡筒２９の先端面２９ｂとレンズ固定枠２８の先端面２８ｂが同面（図２及び図３参照）となる。レンズ固定枠２８をレンズ鏡筒２９に接着固定した後、他のレンズを組み立てて共焦点用対物レンズユニット２１が完成する。
【００３９】
このようにして、第１レンズ２６の非光学的機能面であるテーパー面３２ｄがレンズ鏡筒２９の先端面２９ｂから対物側へ突出した状態に組み込まれるため、共焦点レーザプローブ１１で生体組織内の観察画像を得るとき、第１レンズ２６のレンズ面３２ａが生体組織に接触し易くなり、生体組織内の観察画像を安定して取得することができる。
【００４０】
レンズ固定枠２８の先端面２８ｂから突出したテーパー面３２ｄの裾野部分に接着剤３５を塗布して、第１レンズ２６をレンズ固定枠２８に接着しているため、接着剤３５を塗布する工程が容易になり、接着信頼性が向上する。また、第１レンズ２６のレンズ面３２ａが汚れることが無いので、接着剤３５を拭き取る工程が不要となる。これにより、共焦点用対物レンズユニット２１の製品信頼性、作業性を向上させることができる。さらに、接着剤３５の遮光膜の機能を持たせたので、別に遮光膜を形成する必要が無い。
【００４１】
なお、上記実施形態においては、第１レンズ２６として、レンズ面３１ａの外周に鍔部３２ｂを有し、半球面レンズ部３１及び平板状レンズ部３２とを接合してなる貼り合わせレンズを使用しているが、本発明はこれに限らず、図９に示すように、鍔部が無く、対物側が平面、反対側が球面のレンズ面３６ａ，３６ｂをそれぞれ有する第１レンズ３６にも適用することができる。この共焦点用対物レンズユニット３７は、第１レンズ３６、第２レンズ２７等を有する共焦点用対物光学系３８と、間隔環が一体化されたレンズ固定枠３９とを備える。
【００４２】
この場合、対物側のレンズ面３６ａの外周側縁に形成された非光学的機能面であるテーパー面３６ｃがレンズ鏡筒２９の先端面２９ｂから突出する。また、接着を行う場合、上記実施形態と同様に、レンズ固定枠２８の先端面２８ｂから突出するテーパー面３６ｃの裾野部分に接着剤３５を塗布する。なお、第１レンズ３６の形状はこれに限らず、例えば、テーパー面３６ｃが無く、レンズ面３６ａの外周側縁が周面状に形成されているものでもよく、さらには、先端面２９ｂから突出する部分が非光学的機能面であればどのような形状でもよい。
【００４３】
なお、上記実施形態においては、共焦点用対物光学系３０のうち、第１レンズ２６又は、第１レンズ３６がレンズ鏡筒２９の最も先端側に位置し、被検体の被観察部位に対面する第１光学部材となっているが、これに限らず、図１０に示すように、被検体の被観察部位に対面する第１光学部材として、第１レンズ２６を保護するカバーガラス４０を備えた構成としてもよい。この共焦点用対物レンズユニット４１は、カバーガラス４０を備える他は、図２の共焦点用対物レンズユニット２１と同じ構成である。
【００４４】
この場合、カバーガラス４０は、対物側の面４０ａ及びその反対側の面４０ｂがともに平面で、非光学的機能面である。さらに、対物側の面４０ａの外周側縁（カバーガラス４０の側面）４０ｃも非光学的機能面であり、この外周側縁４０ｃの少なくとも一部がレンズ鏡筒２９の先端面２９ｂから突出する。
【００４５】
なお、上記実施形態では、第１レンズ２６又は第１レンズ３６の対物側のレンズ面３２ａが平面となっているが、この対物側のレンズ面が凸面となっている場合にも本発明を適用することができる。
【００４６】
また、上記実施形態においては、プロセッサ装置と光源装置とを一体型にした構成を例に上げているが、本発明はこれに限らず、プロセッサ装置及び光源装置を別体にした構成としてもよい。さらにまた、上記実施形態では、電子内視鏡１０を例示しているがこれに限らず、超音波トランスデューサが先端部に一体化された超音波内視鏡や、光学的イメージガイドを採用して被検体の状態を観察する内視鏡（ファイバースコープ）にも適用することができる。
【図面の簡単な説明】
【００４７】
【図１】内視鏡システムの外観図である。
【図２】共焦点レーザプローブの先端部断面図である。
【図３】共焦点レーザプローブの第１レンズ周辺を拡大した断面図ある。
【図４】第１レンズの断面図である。
【図５】第１レンズとレンズ固定枠とを固着する組み立て工程を示す説明図である。
【図６】図５の工程の後、第１レンズ及びレンズ固定枠と第２レンズとを固着する組み立て工程を示す説明図である。
【図７】テーパー面に塗布する接着剤の塗布部分を示す斜視図である。
【図８】共焦点用対物レンズユニットの組み立て工程を示す説明図である。
【図９】共焦点用対物レンズユニットの別の実施形態を示す先端部断面図である。
【図１０】共焦点用対物レンズユニットのさらに別の実施形態を示す先端部断面図である。
【符号の説明】
【００４８】
２  内視鏡システム
１０  電子内視鏡
１１  共焦点レーザプローブ
１２  通常観察用プロセッサ装置
１３  共焦点観察用プロセッサ装置
１９  鉗子チャンネル
２１，３７，４１  共焦点用対物レンズユニット
２６，３６  第１レンズ
２７  第２レンズ
２８，３９  レンズ固定枠
２８ｄ  凸部
２９  レンズ鏡筒
２９ａ  係止部
２９ｂ  先端面
３１  半球面レンズ部
３２  平板状レンズ部
３２ａ  レンズ面
３２ｂ  鍔部
３３  間隔環
３５  接着剤
４０  カバーガラス
【図１】
2009233244.tif 000003
【図２】
2009233244.tif 000004
【図３】
2009233244.tif 000005
【図４】
2009233244.tif 000006
【図５】
2009233244.tif 000007
【図６】
2009233244.tif 000008
【図７】
2009233244.tif 000009
【図８】
2009233244.tif 000010
【図９】
2009233244.tif 000011
【図１０】
2009233244.tif 000012